(57)【要約】【課題】  作動温度によって色が変化することにより、不良が発生した電子部品を即座に発見し、交換することができる警告効果を有する電子部品を提供する。【解決手段】  警告効果又は隠蔽効果を有する電子部品は、電子部品本体１０を備える。電子部品本体１０の表面の所定位置には、所定の色を有する感温塗布層３０が設けられ、電子部品本体１０の温度が所定の温度まで上昇したとき、感温塗布層３０の色が除々に薄くなり、最終的には、感温塗布層３０の色が消失することにより、警告効果又は隠蔽効果を得る。【選択図】  図２
0003166758.tif 000002
【実用新案登録請求の範囲】
【請求項１】
電子部品本体を備え、
前記電子部品本体の表面の所定位置には、所定の色を有する感温塗布層が設けられ、前記電子部品本体の温度が所定の温度まで上昇したとき、前記感温塗布層の色が除々に薄くなり、最終的には、前記感温塗布層の色が消失することにより、警告効果又は隠蔽効果を奏することを特徴とする警告効果又は隠蔽効果を有する電子部品。
【請求項２】
前記感温塗布層は、塗布方式により、前記電子部品本体の表面上に感温インクが付着されてなるものであることを特徴とする請求項１に記載の警告効果又は隠蔽効果を有する電子部品。
【請求項３】
前記感温塗布層は、前記電子部品本体の一側表面上に塗布されてなることを特徴とする請求項１に記載の警告効果又は隠蔽効果を有する電子部品。
【請求項４】
前記電子部品本体と前記感温塗布層との間には、所定の色の塗料からなり、前記電子部品本体の表面に塗布される表示塗布層が設けられてなることを特徴とする請求項１に記載の警告効果又は隠蔽効果を有する電子部品。
【請求項５】
前記表示塗布層は、パターンであることを特徴とする請求項４に記載の警告効果又は隠蔽効果を有する電子部品。
【請求項６】
前記電子部品本体は、プラグ受け内に取り付けられ、前記プラグ受けは、前記電子部品本体が露出するウィンドウを有することを特徴とする請求項４に記載の警告効果又は隠蔽効果を有する電子部品。
【考案の詳細な説明】
【技術分野】
【０００１】
本考案は、各種の電子装置の構成部品としての電子部品に関するものであり、さらに詳しくは、警告効果又は隠蔽効果を有する電子部品に関するものである。
【背景技術】
【０００２】
従来の各種の電子装置は、回路基板上に、例えば、サージ吸収素子、トランジスタ、ＩＣ、ダイオード、抵抗器、キャパシタなど、多くの異なる機能を有する電子部品が取り付けられることにより、様々な機能を有する。図１を参照する。同図は、従来の一般の電子部品の構造を示す部分断面斜視図である。図１に示すように、従来の一般の電子部品は、本体１上に、回路基板に挿設される２つの接続ピンが予め半田付けされる。また、一般に、安全のため、本体１の外表面には、絶縁層３が被覆される。
【０００３】
従って、電子部品は、機械部品と異なり、外観から良不良を判断することが困難であるため、以下（１）及び（２）の問題が頻繁に発生する。
（１）電子部品の取り付けが完了した回路基板全体の通電テストを行うとき、仮に、一部の電子部品の不良により、回路に異常が発生した場合でも、多くの電子部品の中から問題のある電子部品を即座に探し出すことは困難である。一般に、問題のある電子部品を探し出すには、電力測定器を用いてすべての電子部品をそれぞれ検査する必要があるため、時間がかかり、非効率的である。
（２）電子装置が使用されるとき、異常電圧又は異常電流により、ある電子部品が所定の耐久時間より早く破損したり、長期の使用により、自然に劣化したりする。しかし、一般に、こうした電子部品に発生した問題は、ユーザに発見されにくく、仮に、劣化した電子部品を有する電子装置が使用され続けた場合、電子部品の劣化が加速される。さらには、電子部品のインピーダンスが増大し続けたり、電流がリークしたりすることにより、電子部品から発熱し、苛酷な条件下の場合は、発火し、周辺の製品が破損することにより、ユーザが危険にさらされたりする虞がある。
【考案の開示】
【考案が解決しようとする課題】
【０００４】
従って、本考案の主な課題は、作動温度によって変色することにより、不良状態が発生した電子部品を即座に発見し、交換することができる警告効果を有する電子部品を提供することにある。
【０００５】
本考案のもう一つの課題は、電子部品を回路基板に取り付けた後、電子部品の識別コード又は識別パターンが自動的に消去される隠蔽効果を有する電子部品を提供することにある。
【課題を解決するための手段】
【０００６】
そこで、本考案者は、前記課題を解決するために、鋭意検討を重ねた結果、電子部品本体の表面に固定着色層等の表示塗布層と感温塗布層を設けることにより、前記課題を解決できることに着目し、かかる知見に基いて、本考案に想到した。
【０００７】
かくして、上記課題を解決するために、本考案によれば、電子部品本体を備え、前記電子部品本体の表面の所定位置には、所定の色を有する感温塗布層が設けられ、前記電子部品本体の温度が所定の温度まで上昇したとき、前記感温塗布層の色が除々に薄くなり、最終的には、前記感温塗布層の色が消失することにより、警告効果又は隠蔽効果を有することを特徴とする警告効果又は隠蔽効果を有する電子部品が提供される。
【０００８】
さらに好ましい実施形態として、
前記感温塗布層は、塗布方式により、前記電子部品本体の表面上に感温インクが付着されてなるものであることが好ましい。
【０００９】
前記感温塗布層は、前記電子部品本体の一側表面上に塗布されてなることが好ましい。
【００１０】
前記電子部品本体と前記感温塗布層との間には、所定の色の塗料からなり、前記電子部品本体の表面に塗布される表示塗布層が設けられてなることが好ましい。
【００１１】
前記表示塗布層は、パターンであることが好ましい。
【００１２】
前記電子部品本体は、プラグ受け内に取り付けられ、前記プラグ受けは、前記電子部品本体が露出するウィンドウを有することが好ましい。
【考案の効果】
【００１３】
本考案の警告効果又は隠蔽効果を有する電子部品は、以下（１）及び（２）の効果を有する。
（１）警告効果及び保護効果を有する：異常電圧又は異常電流の発生、或いは、長期間にわたる使用により、電子部品が劣化し、又は電子部品から電流がリークして電子部品から発熱したとき、電子部品の色が変化し、又は符号が出現することにより、ユーザに電子部品の使用を停止するよう警告することができる。これにより、電子部品が発熱して発火することにより、周辺の製品が破損し、又はユーザが危険にさらされるのを防止することができる。また、問題のある電子部品を交換した後、本来有する警告効果及び保護効果を再び得ることができる。
（２）隠蔽効果及び機密保持効果を有する：電子部品本体の識別コード又は識別パターンを隠蔽したいとき、例えば、リフロー炉を通過させることにより、電子部品本体を加熱して感温塗布層に受熱させる。このとき、感温塗布層は、受熱したとき色が消失する特性を有するため、電子部品本体の識別コード又は識別パターンを消去することができる。これにより、電子部品は、隠蔽効果及び機密保持効果を有することができる。
【図面の簡単な説明】
【００１４】
【図１】従来の一般の電子部品の構造を示す部分断面斜視図である。
【図２】本考案の一実施形態による電子部品を示す部分断面斜視図である。
【図３】本考案の一実施形態による電子部品の受熱後の状態を示す部分断面斜視図である。
【図４】本考案の一実施形態による電子部品をプラグ受けに使用した状態を示す斜視図である。
【図５】本考案の一実施形態による電子部品をプラグ受けに使用し、電子部品が受熱した後の状態を示す斜視図である。
【図６】本考案の一実施形態による電子部品を延長コードに使用し、電子部品が受熱した後の状態を示す斜視図である。
【図７】本考案の一実施形態による電子部品を挿抜式スイッチに使用し、電子部品が受熱した後の状態を示す斜視図である。
【図８】本考案の他の実施形態による電子部品を示す斜視図である。
【図９】本考案の他の実施形態による電子部品の受熱後の状態を示す斜視図である。
【考案を実施するための最良の形態】
【００１５】
以下、本考案の実施形態について図面に基づいて説明する。なお、これらによって本考案が限定されるものではない。
【００１６】
図２を参照する。図２に示すように、本考案の一実施形態による警告効果又は隠蔽効果を有する電子部品は、電子部品本体１０を含む。電子部品本体１０は、正常な状態では、所定の作動温度を有する。また、電子部品本体１０は、劣化が発生したとき、インピーダンスが上昇し、又は電流がリークすることにより、作動温度が上昇する特性を有する。電子部品本体１０は、例えば、サージ吸収素子、ガス放電管、トランジスタ、ＩＣ、ダイオード、抵抗器、キャパシタなどである。
【００１７】
本考案の一実施形態による電子部品においては、電子部品本体１０は、サージ吸収素子を例に挙げて説明を行う。電子部品本体１０には、２つの接続ピン１１が接続される。また、電子部品本体１０の外表面には、絶縁層１２が被覆される。上述の構造は、すべて従来技術であるため、ここでは詳しく述べない。以下、本考案の主な特徴を説明する。
【００１８】
電子部品本体１０の絶縁層１２の外縁の一側表面上には、表示塗布層２０が設けられる。本考案の一実施形態による電子部品において、表示塗布層２０は、例えば、警告作用を有する赤色など、所定の色の一般の顔料であり、電子部品本体１０の表面に塗布される。また、表示塗布層２０は、温度変化による影響を受けない。電子部品本体１０の表示塗布層２０の外表面上には、感温塗布層３０が被覆される。感温塗布層３０は、感温インクにより形成されたものであり、塗布、印刷、転写、接着などの方式により、表示塗布層２０上に設けられる。本考案の一実施形態による電子部品１０において、感温塗布層３０は、塗布方式により、電子部品本体１０の表面上に付着される。感温塗布層３０は、環境温度が上昇するに伴い、除々に色が薄くなり、最終的には、色が消失する。本考案の一実施形態による電子部品１０において、サージ吸収素子の正常な作動温度は、３０〜４０℃であるため、感温塗布層３０の色が変化し始める臨界温度は、４０℃以上である。
【００１９】
図３を参照する。図３に示すように、サージ吸収素子である電子部品本体１０の外表面には、塗布方式によって表示塗布層２０が付着され、表示塗布層２０の外表面上には、感温塗布層３０が塗布される。これにより、電子部品が劣化したり、破損したりすることにより、電子部品に熱が蓄積されたとき、感温塗布層３０の色が消失し、表示塗布層２０の色が露出する。これにより、ユーザに電子部品を交換する必要があることを即座に知らせることができるため、回路構造全体の正常な運転を維持することができることに加えて、使用寿命を延長することができる。
【００２０】
図４を参照する。図４に示すように、本考案の一実施形態による電子部品１０をプラグ受け２００に使用する場合、プラグ受け２００上には、ウィンドウ２０１が設けられる。電子部品本体１０は、ウィンドウ２０１内に配置され、プラグ受け２００内部の電源線と接続される。プラグ受け２００が正常な場合、ウィンドウ２０１内には、感温塗布層３０の色が消失していない状態の電子部品本体１０が表示される。
【００２１】
図５を参照する。図５に示すように、プラグ受け２００に負荷過電流又は接触不良などの状況が発生し、電源線の温度が上昇したとき、電子部品本体１０の表面の感温塗布層３０は、電子部品本体１０が発熱することによる高温を受けて除々に色が消失し、感温塗布層３０に被覆されていた表示塗布層２０が露出する。表示塗布層２０は、例えば、危険マークなど、警告作用を有する色又はパターンから形成されるため、ユーザに即座に電子部品を交換し、異常状態を解決するよう警告することができる。これにより、火災などの危険な状況が発生するのを防止することができる。
【００２２】
図６を参照する。図６に示すように、上述の原理を延長線３００に応用することができる。本考案の一実施形態による電子部品１０を延長線３００に使用した場合、延長線３００上には、ウィンドウ３０１が設けられる。電子部品本体１０は、延長線３００上のウィンドウ３０１に対応する位置に配置される。これにより、ユーザは、ウィンドウ３０１から電子部品本体１０を見ることができる。また、電子部品本体１０は、延長線３００の電源線と接続される。これにより、延長線３００に負荷過電流又は接触不良などの状況が発生し、電源線の温度が上昇したとき、電子部品本体１０の表面の感温塗布層３０は、電子部品本体１０が発熱することによる高温を受けて除々に色が消失し、感温塗布層３０に被覆されていた表示塗布層２０が露出する。これにより、ユーザに警告を発することができる。
【００２３】
図７を参照する。図７に示すように、上述の原理を挿抜式スイッチ４００に応用することができる。本考案の一実施形態による電子部品１０を挿抜式スイッチ４００に使用した場合、挿抜式スイッチ４００の両側には、ウィンドウ４０１がそれぞれ設けられる。各ウィンドウ４０１には、電子部品本体１０がそれぞれ配置され、ユーザは、ウィンドウ４０１から電子部品本体１０を見ることができる。また、電子部品本体１０は、挿抜式スイッチ４００の電源線と接続される。これにより、挿抜式スイッチ４００に負荷過電流又は接触不良などの状況が発生し、電源線の温度が上昇したとき、電子部品本体１０の表面の感温塗布層３０は、電子部品本体１０が発熱することによる高温を受けて除々に色が消失し、感温塗布層３０に被覆されていた表示塗布層２０が露出する。これにより、ユーザに警告を発することができる。
【００２４】
図８を参照する。図８に示すように、本考案の他の実施形態による電子部品本体４０は、ＣＰＵを例に挙げて説明を行う。電子部品本体４０の底部には、複数の接続ピン４１が接続される。また、電子部品本体４０の上面上には、感温塗布層５０が設けられる。感温塗布層５０は、電子部品本体４０の識別コード又は識別パターンを形成する塗料である。従って、電子部品本体４０は、生産されたり、回路基板などに取り付けられたりするとき、感温塗布層５０によって形成された識別コード又は識別パターンにより識別される。これにより、電子部品本体４０を回路基板などに正確に取り付けることができる。
【００２５】
図９を参照する。図９に示すように、電子部品本体４０の識別コード又は識別パターンが必要なくなり、他人又は同業者に識別コード又は識別パターンを知られたくないとき、電子部品本体４０を加熱して感温塗布層５０を受熱させる。このとき、感温塗布層５０は、受熱したとき色が消失する特性を有するため、電子部品本体４０の識別コード又は識別パターンを消去することができる。これにより、電子部品は、隠蔽効果及び機密保持効果を得ることができる。一般に、電子部品をＣＰＵ基板又は回路基板上に取り付けるとき、例えば、高温のリフロー炉によって接続ピン４１を半田付けする必要がある。従って、電子部品本体４０を高温のリフロー炉によって半田付けするとき、電子部品本体４０表面上の感温塗布層５０も受熱することにより、電子部品本体４０の識別コード又は識別パターンが消去される。即ち、電子部品本体４０の識別コード又は識別パターンは、接続ピン４１を半田付けした後、見えなくなるため、他人又は同業者に電子部品の識別コード又は識別パターンが知られることがない。これにより、電子部品は、隠蔽効果及び機密保持効果を得ることができる。
【００２６】
上述したことから分かるように、本考案の警告効果又は隠蔽効果を有する電子部品は、以下（１）及び（２）の特徴を有する。
（１）警告効果及び保護効果を有する：異常電圧又は異常電流の発生、或いは、長期間にわたる使用により、電子部品が劣化したり、電子部品から電流がリークすることにより電子部品から発熱したとき、電子部品の色が変化したり、符号が出現したりすることにより、ユーザに電子部品の使用を停止するよう警告することができる。これにより、電子部品が発熱して発火することにより、周辺の製品が破損したり、ユーザが危険にさらされたりするのを防止することができる。また、問題のある電子部品を交換した後、本来有する警告効果及び保護効果を再び有することができる。
（２）隠蔽効果及び機密保持効果を有する：電子部品本体の識別コード又は識別パターンを隠蔽したいとき、例えば、リフロー炉を通過させることにより、電子部品本体を加熱して感温塗布層に受熱させる。このとき、感温塗布層は、受熱したとき色が消失する特性を有するため、電子部品本体の識別コード又は識別パターンを消去することができる。これにより、電子部品は、隠蔽効果及び機密保持効果を有することができる。
【００２７】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  本体
２  接続ピン
３  絶縁層
１０  電子部品本体
１１  接続ピン
１２  絶縁層
２０  表示塗布層
３０  感温塗布層
４０  電子部品本体
４１  接続ピン
５０  感温塗布層
２００  プラグ受け
２０１  ウィンドウ
３００  延長線
３０１  ウィンドウ
４００  挿抜式スイッチ
４０１  ウィンドウ
【図１】
0003166758.tif 000003
【図２】
0003166758.tif 000004
【図３】
0003166758.tif 000005
【図４】
0003166758.tif 000006
【図５】
0003166758.tif 000007
【図６】
0003166758.tif 000008
【図７】
0003166758.tif 000009
【図８】
0003166758.tif 000010
【図９】
0003166758.tif 000011